(57)【要約】【課題】冷却風量の低下を抑制できるファンの固定構造、さらに、耐振性にも優れるファンの固定構造を有する冷却装置を提供する。【解決手段】筐体に取り付けられ、内気流路および外気通路を形成する本体ケースと、本体ケースに収容される内気用ファン、外気用ファンおよび内気と外気とを直接もしくは間接的に熱交換させる熱交換手段とを備える冷却装置において、外気用ファンとして、水平方向から吸入して、鉛直方向に吐出する空気流れを形成する遠心ファン１７を用い、この遠心ファン１７の背面側に細長形状のブラケット４２を固定し、このブラケット４２を介して、遠心ファン１７を本体ケースに固定する。このとき、遠心ファン１７の吸い込み口側から見て、ブラケット４２の長手方向が、水平方向に対して、遠心ファン１７の回転方向とは反対の回転方向で０度より大きく９０度以下の角度をなすように、ブラケット４２を配置する。【選択図】図８
2008159888.tif 000002
【特許請求の範囲】
【請求項１】
筐体（２）に取り付けられ、前記筐体の内部空間と連通する内部空気流路（３１）および前記筐体の外部と連通する外部空気通路（３２）を形成する本体ケース（１１）と、
前記本体ケースに収容され、前記筐体の内部空気を前記内部空気通路に流通させる内気用ファン（１６）と、
前記本体ケースに収容され、内部空気よりも低温である前記筐体の外部空気を前記外部空気通路に流通させる外気用ファン（１７）と、
前記本体ケースに収容され、前記内部空気通路を流通する前記筐体の内部空気と、前記外部空気通路を流通する外部空気とを、直接もしくは間接的に熱交換させることで、内部空気を冷却する熱交換手段（１２、１３、１４、１５）とを備え、
前記内気用ファンと前記外気用ファンの少なくとも一方は、中心部に駆動用モータが位置するとともに、水平方向から吸入して、鉛直方向に吐出する空気流れを形成する遠心ファンであり、
前記遠心ファンの背面側で前記駆動用モータに固定され、前記遠心ファンを前記本体ケースに固定するためのブラケット（４２）を備えており、
前記ブラケットは、前記遠心ファンの背面側に位置する部分の形状が細長形状であって、その長手方向に直交する方向での幅が前記モータの幅と同等もしくはそれ以下の形状であり、
前記遠心ファンの吸い込み口側から見て、前記ブラケットの前記遠心ファンの背面側に位置する部分の長手方向が、水平方向に対して、前記遠心ファンの回転方向とは反対の回転方向で０度より大きく９０度以下の角度をなすように、前記ブラケットが配置されていることを特徴とする冷却装置。
【請求項２】
前記ブラケット（４２）の前記遠心ファンの背面側に位置する部分の長手方向が、水平方向に対して、０度より大きく９０度より小さい角度をなすように、前記ブラケットが配置されていることを特徴とする請求項１に記載の冷却装置。
【請求項３】
前記ブラケットの前記遠心ファンの背面側に位置する部分の長手方向が、水平方向に対して、４５度の角度をなすように、前記ブラケットが配置されていることを特徴とする請求項２に記載の冷却装置。
【請求項４】
前記遠心ファン（１７）は複数用いられており、
前記複数の遠心ファンが前記ブラケット（４２）によって固定されるユニットケース（４１）を備えており、
前記ユニットケースを介して、前記複数の遠心ファンが本体ケース（１１）に固定されていることを特徴とする請求項１ないし３のいずれか１つに記載の冷却装置。
【発明の詳細な説明】
【技術分野】
【０００１】
本発明は、筐体の内部空気と内部空気よりも低温の外部空気とを混合させることなく、熱交換させることで、内部空気を冷却する冷却装置に関するものであり、例えば、携帯電話通信網基地局の局舎内の空気温度を制御する冷却装置に適用可能である。
【背景技術】
【０００２】
携帯電話通信網基地局の局舎内の空気温度を制御する冷却装置は、例えば、特許文献１に記載されているように、筐体としての局舎の内部空間と連通する内部空気流路および局舎の外部と連通する外部空気通路を形成する本体ケースと、局舎の内部空気を本体ケースの内部空気通路に流通させる内気用ファンと、局舎の外部空気を本体ケースの外部空気通路に流通させる外気用ファンと、局舎の内部空気と外部空気とを混合させることなく熱交換させることで、内部空気を冷却する熱交換手段とを備えている。なお、以下では、内部空気を内気と呼び、外部空気を外気と呼ぶ。
【０００３】
この冷却装置では、内気用ファンおよび外気用ファンは、ともに、遠心ファンであり、ファンの背面側に固定されたブラケットを介して、冷却装置の本体ケースに固定されており、このブラケットは、細長形状であって、水平方向を長手方向として配置されている。
【０００４】
なお、特許文献１に記載の冷却装置は、沸騰式の冷却装置であり、内気と外気とを熱交換させる熱交換手段として、冷媒を介して、内気と外気とを間接的に熱交換させる熱交換器を用いているが、冷却装置としては、例えば、特許文献２に記載されるように、Ａｉｒ−ｔｏ−Ａｉｒ方式の冷媒を介さずに内気と外気とを直接的に熱交換させる熱交換器を用いたものもある。
【特許文献１】特開２００４−１５０７２３号公報
【特許文献２】特開平１０−２６８７号公報
【発明の開示】
【発明が解決しようとする課題】
【０００５】
図１２、１３に、それぞれ、本発明者が検討した構造の遠心ファンの正面拡大図、背面拡大図を示す。なお、図１２では、冷却装置への加振時の振れ方向をあわせて示しており、図１３では、遠心ファンの吹き出し風の風速分布をあわせて示している。
【０００６】
例えば、局舎等の設置箇所までの冷却装置の輸送や地震等によって、冷却装置は上下左右方向に振動する場合があるところ、図１２に示すように、遠心ファン６１を本体ケースに固定するブラケット６２が細長形状であって、水平方向をブラケット６２の長手方向としている冷却装置では、上下方向の振動に対して耐振性が低いという問題が生じる。
【０００７】
また、例えば、遠心ファン６１が吸い込み口から見て右回転、すなわち、図１３に示すように、遠心ファン６１の背面側からみると左回転の場合であって、遠心ファン６１が、図１３の紙面垂直方向から吸入して、図１３の上方向に向かって吐出する空気流れを形成するようになっている場合では、遠心ファン６１の吹き出し風速は、図中左側よりも右側の方が高くなる。
【０００８】
しかし、図１３に示すように、水平方向をブラケット６２の長手方向としている冷却装置では、遠心ファン６１の風流れ後方であって吹き出し風速が最も高い領域５１の一部５１ｂにブラケット６２が位置している。すなわち、図１３中の一点鎖線のように、遠心ファン６１の円周外側の領域を上下左右に４分割したとき、図中右上側の斜線を付した領域５１は吹き出し風速が高い領域となるが、その一部５１ｂにブラケット６２が位置している。このため、その部分５１ｂでは、ブラケット６２が遠心ファン６１の風流れを阻害するため、通風抵抗が大きく、冷却風量が低下するという問題が生じる。
【０００９】
本発明は、上記点に鑑み、冷却風量の低下を抑制できるファンの固定構造を有する冷却装置を提供することを第１の目的とし、第１の目的に加えて、耐振性にも優れるファンの固定構造を有する冷却装置を提供することを第２の目的とする。
【課題を解決するための手段】
【００１０】
上記目的を達成するため、本発明は、内気用ファンと外気用ファンの少なくとも一方として、中心部に駆動用モータが位置するとともに、水平方向から吸入して、鉛直方向に吐出する空気流れを形成する遠心ファンが用い、遠心ファンの背面側で駆動用モータに固定され、遠心ファンを本体ケースに固定するためのブラケット（４２）を備えており、ブラケットは、遠心ファンの背面側に位置する部分の形状が細長形状であって、その長手方向に直交する方向での幅がモータの幅と同等もしくはそれ以下の形状であり、遠心ファンの吸い込み口側から見て、ブラケットの遠心ファンの背面側に位置する部分の長手方向が、水平方向に対して、遠心ファンの回転方向とは反対の回転方向で０度より大きく９０度以下の角度をなすように、ブラケットが配置されていることを特徴としている。
【００１１】
本発明では、このように、遠心ファンの吸い込み口側から見て、ブラケットの遠心ファンの背面側に位置する部分の長手方向が、水平方向に対して０度より大きく９０度以下の角度をなしているので、遠心ファンの風流れ後方の遠心ファンの吹き出し風速が高い領域に、ブラケットが存在しないようにでき、空間を多く存在させることができる。この結果、本発明によれば、図１３に示すような水平方向をブラケット６２の長手方向としている冷却装置と比較して、冷却風量の低下を抑制できる。
【００１２】
ブラケットの長手方向と水平後方とがなす角度については、例えば、０度より大きく９０度より小さい角度とすることが好ましい。これは、ブラケットの長手方向が上下左右方向に対して傾いているので、上下左右方向の耐震性にも優れるファン固定構造とすることができるからである。
【００１３】
なお、この場合、ブラケットの長手方向の向きは、遠心ファンが右回転ファンのとき、吸い込み口から見て、右斜め上および左斜め下方向となり、遠心ファンが左回転ファンのとき、吸い込み口から見て、左斜め上および右斜め下方向となる。
【００１４】
また、ブラケットの長手方向と水平方向とがなす角度としては、例えば、４５度とすることがより好ましい。この角度のとき、遠心ファンの風流れ後方の吹き出し風速が高い部分に対してブラケットが占める範囲が小さくなるからである。
【００１５】
本発明の一具体例としては、遠心ファン（１７）を複数用いた場合、複数の遠心ファンをブラケット（４２）によってユニットケースに固定し、このユニットケースを介して、複数の遠心ファンが本体ケースに固定されている構造とすることができる。
【００１６】
なお、特許請求の範囲およびこの欄で記載した各手段の括弧内の符号は、後述する実施形態に記載の具体的手段との対応関係を示す一例である。
【発明を実施するための最良の形態】
【００１７】
（第１実施形態）
本実施形態では、通信機器などが納められている携帯電話基地局の局舎内を冷却する基地局用冷却装置を例として説明する。
【００１８】
図１（ａ）〜（ｄ）に、本発明の第１実施形態における冷却装置の全体構成を示す。また、図２に、冷却装置の局舎への設置状態を示す。なお、図１（ａ）は冷却装置を正面から見たときの内部構成を示す図であり、図１（ｂ）、（ｃ）は、それぞれ、図１（ａ）中の冷却装置を矢印Ａ、Ｂ方向で見たときの内部構成を示す図であり、図１（ｄ）は、冷却装置を上方から見たときの内気側熱交換器１２と外気側熱交換器１３の配置を示す図である。また、図１（ａ）〜（ｃ）、図２では、図の上下方向が、冷却装置の天地方向である。
【００１９】
図２に示すように、本実施形態の冷却装置１は、筐体としての局舎２の扉３に取り付けられるものである。局舎２は、扉３が閉められたとき、密閉状態となる。また、局舎２の内部には、アンテナ４を介して、携帯電話機５や最寄りの交換局等と通信を行うための通信機器６が収納されており、この通信機器６が作動することで、通信機器６が発熱し、局舎２の内気温度が上昇する。
【００２０】
本実施形態の冷却装置１は、沸騰式の冷却装置であり、図１（ａ）〜（ｃ）に示すように、本体ケース１１と、本体ケース１１の内部に収納される内気側熱交換器１２、外気側熱交換器１３、ガス配管１４、液配管１５、内気用ファン１６および外気用ファン１７とを主に備えている。
【００２１】
本体ケース１１は、図１（ａ）〜（ｄ）に示すように、直方体であり、図１（ａ）のように、本体ケース１１を正面から見て、前面２１と、前面２１の奥側に位置する背面２２と、前面２１の左側に位置する左側面２３と、前面２１の右側に位置する右側面２４と、前面２１の上側に位置する上面２５と、前面２１の下側に位置する下面２６とを有している。
【００２２】
また、この本体ケース１１は、図１（ａ）中の奥行き方向の幅、すなわち、前面２１と背面２２に垂直な方向の幅が、本体ケース１１の他の幅よりも小さくなっており、以下では、前面２１と背面２２に垂直な方向を、本体ケース１１の厚さ方向と呼ぶ。また、図１（ａ）中の前面２１に向かって左右の方向を、本体ケース１１の左右方向と呼ぶ。
【００２３】
本実施形態では、図１（ｄ）に示すように、本体ケース１１の横断面の形状は、本体ケース１１の厚さ方向での長さが、その厚さ方向に直交する本体ケース１１の左右方向での長さよりも短い形状となっている。なお、本体ケース１１の横断面とは、本体ケース１１の上下方向、すなわち、天地方向に垂直な方向での断面を意味する。
【００２４】
また、図２に示すように、本体ケース１１の背面２２が局舎２の内部に面し、前面２１が局舎２の外部に面するように、冷却装置１が局舎２の扉３に取り付けられるようになっている。すなわち、本体ケース１１の厚さ方向が、冷却装置１の局舎２に対する取り付け方向となっている。
【００２５】
また、図１（ａ）、（ｄ）に示すように、本体ケース１１の内部は、隔壁２７によって、本体ケース１１の左右方向で２つの領域に分けられている。この隔壁２７は、本体ケース１１の内部に沿った形状であり、略長方形の略平板である。隔壁２７は、鉛直方向に平行となるように、本体ケース１１の前面２１、背面２２、上面２５および下面２６に対して垂直に配置されている。
【００２６】
また、本実施形態では、本体ケース１１の内部空間のうち、図１（ａ）中の左側が内気側領域３１であり、局舎２の内気が流通する内気流路となり、図１（ａ）中の右側が外気側領域３２であり、局舎２の外気が流通する外気流路となる。
【００２７】
そして、図１（ａ）に示すように、内気側領域３１には、本体ケース１１の下側に内気側熱交換器１２が配置され、本体ケース１１の上側に内気用ファン１６が配置されている。一方、外気側領域３２には、本体ケース１１の上側に外気側熱交換器１３が配置され、本体ケース１１の下側に外気用ファン１７が配置されている。
【００２８】
また、図１（ｂ）、図２に示すように、本体ケース１１の背面２２のうち、内気用ファン１６に対向する位置と、内気側熱交換器１２に対向する位置とに、それぞれ、内気取り入れ口と、内気排出口となる開口部２２ａ、２２ｂが設けられている。
【００２９】
また、図１（ｃ）に示すように、本体ケース１１の前面２１のうち、外気用ファン１７に対向する位置と、外気側熱交換器１３に対向する位置とに、それぞれ、外気取り入れ口と、外気排出口となる開口部２１ａ、２１ｂが設けられている。
【００３０】
内気側熱交換器１２は、例えば、フィン−チューブ熱交換器であって、マルチフローパス型の熱交換器であり、図１（ｂ）に示すように、内気側領域３１に２つ配置されている。
【００３１】
外気側熱交換器１３は、内気側熱交換器１２と同様に、例えば、フィン−チューブ熱交換器であって、マルチフローパス型の熱交換器であり、図１（ｃ）に示すように、外気側領域３２に２つ設けられている。
【００３２】
また、内気側領域３１には、図１（ａ）、（ｂ）に示すように、２つのガス配管１４が配置されており、１つのガス配管１４は、１つの内気側熱交換器１２と、１つの外気側熱交換器１３とに接続されている。一方、外気側領域３２には、図１（ａ）、（ｃ）に示すように、２つの液配管１５が配置されており、１つの液配管１５は、１つの内気側熱交換器１２と１つの外気側熱交換器１３とに接続されている。これらのガス配管１４および液配管１５を介して、冷媒が内気側熱交換器１２と外気側熱交換器１３との間を循環するようになっている。
【００３３】
このように、本実施形態の冷却装置１は、内気側熱交換器１２、外気側熱交換器１３、ガス配管１４、液配管１５により、密閉された冷媒回路が形成されており、このような独立した冷媒回路を２系統持っている。
【００３４】
この冷媒回路において、内気側熱交換器１２では、フィンを介して、外気よりも高温である内気と、チューブ内の液相冷媒との間で、熱交換がされる。これにより、内気の熱量が液相冷媒に移動することで、液相冷媒が沸騰して気相冷媒となり、内気が冷却される。
【００３５】
一方、外気側熱交換器１３では、フィンを介して、内気よりも低温である外気と、チューブ内の気相冷媒との間で熱交換がされる。これにより、気相冷媒が凝縮して、液相冷媒となり、冷媒の熱が外気に放熱される。
【００３６】
このとき、外気側熱交換器１３は、内気側熱交換器１２よりも上側に配置されているので、気相冷媒と液相冷媒との密度差により、冷媒回路内の冷媒は、内気側熱交換器１２→ガス配管１４→外気側熱交換器１３→液配管１５→内気側熱交換器１２の順に、自然循環する。
【００３７】
このように、本実施形態の冷却装置１は、内気側熱交換器１２、外気側熱交換器１３での冷媒の熱交換サイクルを利用して、局舎２の内気を冷却するようになっており、これらの内気側熱交換器１２、外気側熱交換器１３、ガス配管１４および液配管１５が、内気と外気とを混合させることなく間接的に熱交換させる熱交換手段に相当する。
【００３８】
また、本実施形態では、内気用ファン１６として、軸流ファンを１つ用いており、図１（ｂ）、図２に示すように、内気が、本体ケース１１の上方に位置する内気取り入れ口２２ａから取り入れられ、内気側領域３１を上から下に向かって流れ、本体ケース１１の下方に位置する内気排出口２２ｂから排出されるようになっている。このため、局舎２の内気は、図２に示すように、冷却装置１の内部でＵターンするように、局舎２の内部を流れるようになっている。
【００３９】
また、本実施形態では、外気用ファン１７として、２つの遠心ファンを用いており、図１（ｃ）に示すように、外気が、本体ケース１１の下方に位置する外気取り入れ口２１ａから取り入れられ、外気側領域３２を下から上に向かって流れ、本体ケース１１の上方に位置する外気排出口２１ｂから排出されるようになっている。このように、外気用ファン１７は、水平方向から吸入して、鉛直方向に吐出する空気流れを形成している。
【００４０】
また、本実施形態では、２つの外気用ファン１７をユニット化した外気用ファンユニット４０を用いている。図３〜６に、それぞれ、外気用ファンユニット４０の正面図、背面図、上面図および側面図を示す。なお、各図の関係は、図３中のＣ矢見図が図５であり、図３中のＤ矢見図が図６であり、図６中のＥ矢見図が図３であり、図６中のＦ矢見図が図４である。
【００４１】
外気用ファンユニット４０は、２つの外気用ファン１７と、ユニットケース４１と、ブラケット４２とを備えている。
【００４２】
ユニットケース４１は、主に、ファンの支持部材としての平面状の主壁面部４１ａからなり、この主壁面部４１ａには、図３に示すように、２つの外気用ファン１７の吸い込み口にそれぞれ対応する位置に、開口部４１ｂが設けられている。また、主壁面部４１ａの裏面側には、２つの外気用ファン１７が配置されており、図４に示すように、これらを仕切る仕切り壁部４１ｃが設けられている。また、図５、６に示すように、ユニットケース４１の枠を構成するように、主壁面部４１ａの周囲に上面部４１ｄ、側面部４１ｅ、下面部４１ｆが連通して設けられている。
【００４３】
ブラケット４２は、外気用ファン１７をユニットケース４１に固定する固定部材であり、図３に示すように、主壁面部４１ａから外気用ファン１７に沿ってＵ字状に張り出した形状となっている。
【００４４】
ブラケット４２は、図３、６に示すように、ユニットケース４１に対して、主壁面部４１ａの裏面側でネジ４３によって締結固定されており、図４に示すように、仕切り壁部４１ｃにもネジ４４によって締結固定されている。
【００４５】
ここで、図７に、図３中のＡ−Ａ線断面図を示す。ブラケット４２は、図４〜７に示すように、外気用ファン１７の裏面側（背面側）で、外気用ファン１７の中心部に位置するファン駆動用モータ１７ａにビス４５により締結固定されている。なお、外気用ファン１７の裏面側（背面側）とは、吸い込み口とは反対側のことを意味する。
【００４６】
また、ブラケット４２は、図３、４に示すように、外気用ファン１７の裏面側に固定されている部分の形状が、幅が駆動用モータ１７ａと同等もしくはそれ以下である細長形状であり、その長手方向が、水平方向に対して４５度に傾斜した状態で、ユニットケース４１に固定されている。なお、図３、４中のブラケット４２の幅は、図７に示すように、駆動用モータ１７ａの幅よりも若干大きく、駆動用モータ１７ａの幅と同等である。
【００４７】
より具体的に説明すると、外気用ファン１７は、吸い込み口側から見て右回転する右回転ファンであり、ブラケット４２の長手方向は、図３に示すように、外気用ファン１７の吸い込み口側から見て、右斜め上および左斜め下方向を向いており、図４に示すように、外気用ファン１７の背面側から見て、左斜め上および右斜め下方向を向いている。
【００４８】
また、外気用ファン１７の吸い込み口側は、図６に示すように、ベルマウス４７を介して、ユニットケース４１に固定されている。このとき、外気用ファン１７とベルマウス４７とが重なって固定されている部分において、外気用ファン１７とベルマウス４７との隙間４８は、例えば、２ｍｍ程度である。
【００４９】
また、外気用ファンユニット４０は、図３、４に示すように、冷却装置１の本体ケース１１に対して、ユニットケース４１の四隅の４カ所で、ネジ４６によって締結固定される。
【００５０】
次に、本実施形態の主な特徴について説明する。
【００５１】
（１）特許文献２に記載の冷却装置では、複数のファンが個々にブラケットによって冷却装置のケース本体に固定されていたため、すべてのファンを交換する際では、各ファンを個別に冷却装置のケースから取り外す必要がある。
【００５２】
これに対して、本実施形態では、２つの外気用ファン１７をユニット化した外気用ファンユニット４０を用いているので、２つの外気用ファン１７を交換する際では、外気用ファンユニット４０を締結している締結部品としてのネジ４１ｇを取り外すだけで、２つの外気用ファン１７を取り外すことがでる。
【００５３】
（２）図８に、本実施形態の外気用ファン１７の正面拡大図を示す。なお、図８では、冷却装置への加振時の振れ方向をあわせて示している。
【００５４】
上記発明が解決しようとする課題の欄で既に説明したが、図１２に示すように、水平方向をブラケットの長手方向としている冷却装置では、上下の振動に対して耐振性が低い。これに対して、本実施形態の冷却装置では、図８に示すように、ブラケット４２の長手方向を上下左右方向に対して傾斜させた状態で、ブラケット４２を介して、外気用ファン１７を本体ケース１１に固定しているので、上下左右方向の耐振力に優れている。
【００５５】
したがって、局舎等の設置箇所までの冷却装置の輸送や地震等による振動によって、外気用ファン１７が本体ケース１１から外れる等の故障を防止できる。
【００５６】
また、耐震力が向上したことにより、冷却装置に振動が加えられたとしても、ベルマウス４７と外気用ファン１７との間の隙間４８を、例えば、２ｍｍ程度の大きさに維持できるので、振動による干渉も防止できる。
【００５７】
（３）図９に、本実施形態の外気用ファン１７の背面拡大図を示す。なお、図９は、ファンの背面側から見た図であり、図９では、外気用ファン１７の吹き出し風の風速分布をあわせて示している。
【００５８】
上記したように、本実施形態の外気用ファン１７は、吸い込み口から見て右回転、ファンの背面側から見ると左回転であり、外気用ファン１７は、水平方向から吸入して、鉛直方向に吐出する空気流れを形成している。このとき、図９に示すように、外気用ファン１７の吹き出し風速は、図中左側よりも右側の方が高くなる。
【００５９】
そして、本実施形態では、図９に示すように、外気用ファン１７の背面側から見たとき、ブラケット４２が左斜め上および右斜め下を向いている。このため、外気用ファン１７の風流れ後方の吹き出し風速が最も高い領域５１、すなわち、図９中の一点鎖線のように、外気用ファン１７の円周外側の領域を上下左右に４分割したとき、図中右上側の斜線を付した領域５１に、ブラケット４２が存在しておらず、その領域５１で外気用ファン１７の風流れがブラケット４２に阻害されないようになっている。
【００６０】
この結果、本実施形態の冷却装置１によれば、図１３に示されるように上記水平方向をブラケット６２の長手方向としている冷却装置と比較して、冷却風量を多くできる。
【００６１】
（第２実施形態）
図１０、１１に、それぞれ、本発明の第２実施形態における外気用ファン１７の正面拡大図、背面拡大図を示す。なお、図１０では、冷却装置への加振時の振れ方向をあわせて示しており、図１１では、外気用ファン１７の吹き出し風の風速分布をあわせて示している。
【００６２】
本実施形態では、図１０、１１に示すように、第１実施形態の外気用ファンユニット４０に対して、ブラケット４２の長手方向を鉛直方向に変更している。  
【００６３】
この場合、第１実施形態と比較して、左右方向の振動に対して耐振性が低くなってしまうが、図中右上側の斜線を付した外気用ファン１７の風流れ後方の吹き出し風速が高い領域５１において、ブラケット４２に覆われる部分を減少させることができる。
【００６４】
なお、図１１に示すように、本実施形態では、外気用ファン１７の風流れ後方の吹き出し風速が高い領域５１の一部５１ａに、ブラケット４２が位置しているが、このブラケット４２が位置している部分５１ａは、図１３に示すようなブラケット６２の長手方向が水平方向である場合において、吹き出し風速が高い領域５１のうちブラケット６２が位置する部分５１ｂと比較して、風速が小さい方に位置している。
【００６５】
このため、外気用ファン１７の風流れ後方の吹き出し風速が高い領域５１の一部５１ａに、ブラケット４２が位置していることの影響は比較的少ないので、本実施形態の冷却装置１によっても、図１３に示すような水平方向をブラケット６２の長手方向としている冷却装置と比較して、冷却風量を多くできる。
【００６６】
（他の実施形態）
（１）第１、第２実施形態では、外気用ファン１７の吸い込み口側から見て、ブラケット４２の外気用ファン１７の裏面側に固定されている部分の長手方向が、外気用ファン１７の回転方向とは反対の回転方向で、水平方向に対してなす角度を、それぞれ、４５度、９０度とする場合を例として説明したが、０度より大きく９０度以下であれば、他の角度に変更することも可能である。
【００６７】
この角度が、０度より大きく９０度以下であれば、図１３に示すような水平方向をブラケット６２の長手方向としている冷却装置と比較して、冷却風量を多くできる
ただし、上下左右方向の耐振力を高めるという観点では、この角度を９０度より小さくすることが好ましい。
【００６８】
（２）上記した各実施形態では、外気用ファン１７として、ターボファンを用いていたが、シロッコファンを用いてもよい。
【００６９】
（３）上記した各実施形態では、外気用ファン１７を２つ用いていたが、外気用ファン１７の数は任意に変更することが可能である。
【００７０】
（４）上記した各実施形態では、外気用ファン１７を、ブラケット４２を介して、ユニットケース４１に固定し、このユニットケース４１を本体ケース１１に固定していたが、ユニットケース４１を省略して、本体ケース１１にブラケット４２を固定しても良い。
【００７１】
（５）上記した各実施形態では、外気用ファン１７に対して、本発明を適用していたが、内気用ファン１６に適用しても良い。
【００７２】
（５）上記した各実施形態では、冷却装置の本体ケースとして、その内部に内気側領域３１と外気側領域３２とが本体ケース１１の左右方向に並べられた構造の本体ケース１１を用いていたが、内気側領域３１と外気側領域３２との配置が本実施形態と異なる本体ケースを用いても良い。例えば、特許文献１に記載されているように、本体ケースの内部を、隔壁によって、主に、上半分側と下半分側の領域に分け、さらに、上半分側の領域を、本体ケースの厚さ方向で２つの領域に分け、外気が本体ケース内の上半分側を流れる構成の本体ケースを用いても良い。
【００７３】
（７）上記した各実施形態では、内気側熱交換器１２、外気側熱交換器１３、ガス配管１４および液配管１５を備える沸騰式の冷却装置を用いる場合を例として説明したが、内気側熱交換器１２、外気側熱交換器１３、ガス配管１４および液配管１５の本構成にコンプレッサ、膨張弁を追加することで冷凍サイクルと同等の構成となることから、冷凍サイクルによる冷却方式を採用した基地局用冷却装置にも本発明を適用することもできる。
【００７４】
（８）上記した各実施形態では、内気側熱交換器１２、外気側熱交換器１３、ガス配管１４および液配管１５を備える沸騰式の冷却装置、すなわち、内気と外気とを熱交換させる熱交換手段として、冷媒を介して、内気と外気とを混合させることなく間接的に熱交換させる熱交換器を用いる場合を例として説明したが、例えば、特許文献２に記載されるように、Ａｉｒ−ｔｏ−Ａｉｒ方式の冷媒を介さずに内気と外気とを直接的に熱交換させる熱交換器を用いた冷却装置に対して、本発明を適用することもできる。
【図面の簡単な説明】
【００７５】
【図１】本発明の第１実施形態における冷却装置の全体構成を示す図であり、（ａ）は冷却装置の正面透視図であり、（ｂ）、（ｃ）は（ａ）中の冷却装置の側面透視図であり、（ｄ）は（ａ）中の冷却装置の上面透視図である。
【図２】図１中の冷却装置の局舎への設置状態を示す図である。
【図３】図１中の冷却装置に用いられている外気用ファンユニット４０の正面図である。
【図４】図１中の冷却装置に用いられている外気用ファンユニット４０の背面図である。
【図５】図１中の冷却装置に用いられている外気用ファンユニット４０の上面図である。
【図６】図１中の冷却装置に用いられている外気用ファンユニット４０の側面図である。
【図７】図３中のＡ−Ａ線断面図である。
【図８】図１中の冷却装置に用いられている外気用ファンユニット４０の正面図であり、外気用ファン１７とブラケット４２の位置関係を示すための簡略図である。
【図９】図１中の冷却装置に用いられている外気用ファンユニット４０の背面図であり、外気用ファン１７とブラケット４２の位置関係を示すための簡略図である。
【図１０】第２実施形態における外気用ファンユニット４０の正面図であり、外気用ファン１７とブラケット４２の位置関係を示すための簡略図である。
【図１１】第２実施形態における外気用ファンユニット４０の背面図であり、外気用ファン１７とブラケット４２の位置関係を示すための簡略図である。
【図１２】発明が解決しようとする課題を説明するための遠心ファンの正面図であり、遠心ファンとブラケットの位置関係を示すための簡略図である。
【図１３】発明が解決しようとする課題を説明するための遠心ファンの背面図であり、遠心ファンとブラケットの位置関係を示すための簡略図である。
【符号の説明】
【００７６】
１…冷却装置、１１…本体ケース、１２…内気側熱交換器、１３…外気側熱交換器、
１４…ガス配管、１５…液配管、１６…内気用ファン、１７…外気用ファン、
４０…外気用ファンユニット、４１…ユニットケース、４２…ブラケット。    
【図１】
2008159888.tif 000003
【図２】
2008159888.tif 000004
【図３】
2008159888.tif 000005
【図４】
2008159888.tif 000006
【図５】
2008159888.tif 000007
【図６】
2008159888.tif 000008
【図７】
2008159888.tif 000009
【図８】
2008159888.tif 000010
【図９】
2008159888.tif 000011
【図１０】
2008159888.tif 000012
【図１１】
2008159888.tif 000013
【図１２】
2008159888.tif 000014
【図１３】
2008159888.tif 000015